(57)【要約】【課題】ＡＣ入力オン時の電力消費を低減することができる電源装置を提供する。【解決手段】フィルタ回路Ｌ１とブリッジ整流回路Ｄ１とを接続し、該整流回路の直流側端子間に平滑コンデンサＣ３を接続して構成される電源装置において、上記ブリッジ整流回路Ｄ１の交流側端子ａ，ｃにそれぞれ、第１のダイオードＤ２および第２のダイオードＤ３のアノードを接続し、該整流回路の直流側（−）端子ｄと第１および第２のダイオードＤ３のカソードの接続点とを、スイッチング電源制御用ＩＣ（ＩＣ１）と抵抗Ｒ１との直列回路で接続し、該ＩＣ（ＩＣ１）に平滑コンデンサＣ４を並列接続したことを特徴としている。【選択図】　　　　図１
2004032902.tif 000002
【特許請求の範囲】
【請求項１】
フィルタ回路とブリッジ整流回路とを接続し、該整流回路の直流側端子間に平滑コンデンサを接続して構成される電源装置において、
上記ブリッジ整流回路の交流側端子にそれぞれ、第１および第２のダイオードのアノードを接続し、該整流回路の直流側（−）端子と第１および第２のダイオードのカソードの接続点とを、スイッチング電源制御用ＩＣと抵抗との直列回路で接続し、該ＩＣに平滑コンデンサを並列接続したことを特徴とする電源装置。
【請求項２】
フィルタ回路とブリッジ整流回路とを接続し、該整流回路の直流側端子間に平滑コンデンサを接続して構成される電源装置において、
該平滑コンデンサと並列にアクティブフィルタ回路を接続し、
上記ブリッジ整流回路の交流側端子にそれぞれ、第１および第２のダイオードのアノードを接続し、該整流回路の直流側（−）端子と第１のダイオードＤ２および第２のダイオードのカソードの接続点とを分圧抵抗で接続し、
該分圧抵抗の分圧点を、上記アクティブフィルタの電圧検出端子に接続したことを特徴とする電源装置。
【発明の詳細な説明】
【０００１】
【発明の属する技術分野】
本発明は、フィルタ回路と整流回路とを接続して構成された電源装置に関するものであり、特に、省電力化を目的とする電源装置に関するものである。
【０００２】
【従来の技術】
従来の電源装置として、図２、図４のものが提案されている。
図２の回路では、交流電源に接続したフィルタ回路と、該フィルタ回路と抵抗Ｒ２を並列接続し、ブリッジ整流回路Ｄ１の直流側端子ｂ，ｄを、抵抗Ｒ３とスイッチング電源制御用ＩＣ（ＩＣ１）の直列回路で接続し、該スイッチング電源制御用ＩＣ（ＩＣ１）に平滑コンデンサＣ４を並列接続する。
また、ブリッジ整流回路Ｄ１の直流側端子ｂ，ｄ間に平滑コンデンサＣ３を接続する。ここで、抵抗Ｒ２はフィルタ回路のコンデンサＣ１、Ｃ２に残留する電圧を放電するための抵抗、抵抗Ｒ３はスイッチング電源制御用ＩＣ（ＩＣ１）の駆動電力を供給するための抵抗である。このように、２つの抵抗Ｒ２とＲ３とが別の用途で使用されるにもかかわらず、ＡＣ入力オン時には、放電用の抵抗Ｒ２にも電圧が印加されてしまうため、Ｒ２で余分な電力を消費するという問題があった。
また、図４は交流電源に接続したフィルタ回路およびブリッジ整流回路Ｄ１と並列に抵抗Ｒ２を接続している点で、図２と共通する回路構成であり、図２のブリッジ整流回路Ｄ１の直流側端子ｂ，ｄ間にアクティブフィルタ回路ＡＦを接続した点、および、平滑コンデンサＣ４とスイッチング電源制御用ＩＣ（ＩＣ１）の並列接続回路を抵抗Ｒ７で置き換え、分圧抵抗Ｒ６，Ｒ７の分圧点にアクティブフィルタＡＦの電圧検出端子を接続した点が相違する。しかし、ＡＣ入力オン時に、放電用の抵抗Ｒ２に電圧が印加されてしまい、Ｒ２で余分な電力を消費するという同じ問題があった。
【０００３】
【発明が解決しようとする課題】
図２、図４の場合とも、抵抗Ｒ２が放電用に使用されているにもかかわらず、ＡＣ入力オン時に常時電圧が印加され、余分な電力を消費しているという問題があり、ＡＣ入力オン時の電力消費を低減することができる回路構成が要求されていた。
【０００４】
【課題を解決するための手段】
本発明は、上記課題を解決するもので、フィルタ回路Ｌ１とブリッジ整流回路Ｄ１とを接続し、該整流回路Ｄ１の直流側端子間に平滑コンデンサＣ３を接続して構成される電源装置において、
上記ブリッジ整流回路Ｄ１の交流側端子ａ，ｃにそれぞれ、第１のダイオードＤ２および第２のダイオードＤ３のアノードを接続し、該整流回路の直流側（−）端子ｄと第１のダイオードＤ２および第２のダイオードＤ３のカソードの接続点とを、スイッチング電源制御用ＩＣ（ＩＣ１）と抵抗Ｒ１との直列回路で接続し、該ＩＣ（ＩＣ１）に平滑コンデンサＣ４を並列接続したことを特徴とする電源装置である。
【０００５】
また、フィルタ回路Ｌ１とブリッジ整流回路Ｄ１とを接続し、該整流回路Ｄ１の直流側端子間に平滑コンデンサＣ３を接続して構成される電源装置において、
該平滑コンデンサと並列にアクティブフィルタ回路ＡＦを接続し、
上記ブリッジ整流回路Ｄ１の交流側端子ａ，ｃにそれぞれ、第１のダイオードＤ２および第２のダイオードＤ３のアノードを接続し、該整流回路の直流側（−）端子ｄと第１のダイオードＤ２および第２のダイオードＤ３のカソードの接続点とを分圧抵抗Ｒ４，Ｒ５で接続し、
該分圧抵抗Ｒ４，Ｒ５の分圧点を、上記アクティブフィルタＡＦの電圧検出端子に接続したことを特徴とする電源装置である。
【０００６】
【発明の実施の形態】
図１は本発明による第１の実施形態であり、上記ブリッジ整流回路Ｄ１の交流側端子ａ，ｃにそれぞれ、第１のダイオードＤ２および第２のダイオードＤ３のアノードを接続し、該整流回路の直流側（−）端子ｄと第１のダイオードＤ２および第２のダイオードＤ３のカソードの接続点とを、スイッチング電源制御用ＩＣ（ＩＣ１）と抵抗Ｒ１との直列回路で接続し、該ＩＣ（ＩＣ１）に平滑コンデンサＣ４を並列接続する。
【０００７】
次に動作を説明する。上記のように回路構成することによって、抵抗Ｒ１はＡＣ入力オン時にはＩＣ１の駆動電力を供給する抵抗として働き、また、ＡＣ入力オフ時にはフィルタ回路の残留電圧を放電する抵抗として働く。
すなわち、ＡＣ入力オン時には、フィルタ回路の交流電圧が、第１のダイオードＤ２または第２のダイオードＤ３で整流され、抵抗Ｒ１を経て、平滑コンデンサＣ４とスイッチング電源制御用ＩＣ１に供給され、スイッチング電源制御用ＩＣ１を駆動し、図示しないスイッチング回路を駆動して出力する。
また、ＡＣ入力オフ時には、フィルタ回路のコンデンサＣ１、Ｃ２に残留した電圧は、第１のダイオードＤ２または第２のダイオードＤ３、抵抗Ｒ１を経て、平滑コンデンサＣ４に印加され、スイッチング電源制御用ＩＣ（ＩＣ１）の駆動電流となって消費され、コンデンサＣ１，Ｃ２に残留した電圧を放電することが可能となる。
【０００８】
図３は本発明による第２の実施形態である。
ここで、第１の実施形態（図１）と共通する部分については説明を省略する。第１の実施形態（図１）と異なる点は、ブリッジ整流回路Ｄ１の直流側端子ｂ，ｄ間にアクティブフィルタ回路ＡＦを接続した点、および平滑コンデンサＣ４とスイッチング電源制御用ＩＣ（ＩＣ１）の並列接続回路を抵抗Ｒ５で置き換え、分圧抵抗Ｒ４，Ｒ５の分圧点にアクティブフィルタＡＦの電圧検出端子を接続したことにある。
【０００９】
次に動作を説明する。上記のように回路構成することによって、ＡＣ入力オン時には、フィルタ回路の交流電圧が第１のダイオードＤ２または第２のダイオードＤ３を経て、脈流電圧となり、分圧抵抗Ｒ４、Ｒ５で分圧されて、アクティブフィルタ回路ＡＦの電圧検出端子に入力される。
この入力された脈流電圧波形がアクティブフィルタ回路ＡＦで参照波形とされ、入力電圧が正弦半波電圧に変えられ、平滑コンデンサＣ３によって平滑される。
また、ＡＣ入力オフ時には、フィルタ回路のコンデンサＣ１、Ｃ２に残留した電圧は、第１のダイオードＤ２または第２のダイオードＤ３を経て、分圧抵抗Ｒ４、Ｒ５で分圧され、アクティブフィルタに印加されて消衰するか、抵抗Ｒ５で放電される。
【００１０】
【実施例】
〔実施例１〕
図１は本発明の第１の実施例による電源装置の回路図であり、フィルタ回路Ｌ１とブリッジ整流回路Ｄ１との間に、抵抗Ｒ１（図２の従来例）の代わりに、第１のダイオードＤ２と第２のダイオードＤ３とを接続することにより、ＡＣ入力オフ時には、コンデンサＣ１、Ｃ２の放電を抵抗Ｒ１で行わせ、また、ＡＣ入力オン時には、スイッチング電源制御用ＩＣの駆動を抵抗Ｒ１で行わせることができる。
よって、従来例のように、ＡＣ入力オフ時にコンデンサＣ１、Ｃ２を放電させる抵抗Ｒ２を別途設ける必要がなくなり、その結果、ＡＣ入力オン時に抵抗Ｒ２で余分の電力が消費されることがなくなり、消費電力の低減を図ることができる。また、抵抗Ｒ２から発熱する熱を放熱するためのスペースをもなくすることが可能であり、電源装置全体の小型化および低コスト化をも図ることができる。
上記実施例１（図１）と、従来例１（図２）とで、消費電力、電源装置のサイズ、コストを比較すると下記の〔表１〕のようになり、実施例１では、従来例１より大幅に改善されていることが分かる。
【００１１】
【表１】
2004032902.tif 000003
【００１２】
〔実施例２〕
図３は本発明の第２の実施例による電源装置の回路図であり、実施例１（図１）と異なる点は、ブリッジ整流回路Ｄ１の直流側端子ｂ，ｄ間にアクティブフィルタ回路ＡＦを接続し、図１の平滑コンデンサＣ４とスイッチング電源制御用ＩＣ（ＩＣ１）の並列接続回路を抵抗Ｒ５で置き換え、分圧抵抗Ｒ４、Ｒ５の分圧点にアクティブフィルタＡＦの電圧検出端子を接続したことにある。
このように回路構成されているので、ＡＣ入力オン時に、従来例２（図４）のように放電用の抵抗Ｒ２で余分な電力が消費されることがなくなり、消費電力の低減を図ることができる。また、抵抗Ｒ２から発熱する熱を放電するためのスペースをも小さくすることが可能であり、電源装置全体の小型化および低コスト化をも図ることができる。
上記実施例２（図３）と、従来例２（図４）とで、消費電力、電源装置のサイズ、コストを比較すると、下記の〔表２〕のようになり、実施例２では、従来例２より大幅に改善されていることが分かる。
【００１３】
【表２】
2004032902.tif 000004
【００１４】
【発明の効果】
本発明のように回路構成することにより、フィルタ回路Ｌ１および第１の整流回路Ｄ１と並列に接続していた放電用の抵抗Ｒ２を接続しなくてすむので、ＡＣ入力オン時の余分な電力消費をなくすることができ、また、抵抗Ｒ２から発熱する熱を放熱するためのスペースをもなくすることができるので、電源装置の小型化および低コスト化をも図ることができる。
【図面の簡単な説明】
【図１】本発明の第１の実施例を示す電源装置の回路図である。
【図２】従来の第１の電源装置の回路図である。
【図３】本発明の第２の実施例を示す電源装置の回路図である。
【図４】従来の第２の電源装置の回路図である。
【符号の説明】
ＡＣ　　ＡＣ入力
Ｄ１　ブリッジ整流回路
Ｄ２　第１のダイオード
Ｄ３　第２のダイオード
Ｒ１　抵抗
Ｒ２　抵抗
Ｒ３　抵抗
Ｒ４〜Ｒ７　分圧用抵抗
Ｃ１，Ｃ２　コンデンサ
Ｃ３，Ｃ４　平滑コンデンサ
ＩＣ１　　スイッチング電源制御用ＩＣ
ＲＬ　　負荷
Ｌ１　チョークコイル
ａ　交流側端子
ｂ　直流側端子（＋）
ｃ　交流側端子
ｄ　直流側端子（−）
ＡＦ　アクティブフィルタ回路
【図１】
2004032902.tif 000005
【図２】
2004032902.tif 000006
【図３】
2004032902.tif 000007
【図４】
2004032902.tif 000008